(57)【要約】【課題】機器間において簡易な方式で通話が可能な通話システムを提供する。【解決手段】親機と、親機と通信可能に設けられた複数の子機とを備える通話システムであって、子機は、親機および複数の子機のうちの他機に対して発呼して、あるいは他機からの呼び出しに応答して通話を成立させるための音声を入出力する子機マイクおよび子機スピーカを含む。親機は、子機に対して発呼して、あるいは子機からの呼び出しに応答して通話を成立させるための音声を入出力する親機マイクおよび親機スピーカを含む。子機は、設定可能に設けられた複数の通話モードを有する。第１の通話モードにおいて、他機からの呼び出しに応答する際に応答ボタンの受付により通話を成立させる。第２の通話モードにおいて、親機からの呼び出しに応答する際に応答ボタンの受付無しに通話を成立させる。【選択図】図２
2017069898.tif 000002
【特許請求の範囲】
【請求項１】
親機と、前記親機と通信可能に設けられた複数の子機とを備える通話システムであって、
前記子機は、前記親機および前記複数の子機のうちの他機に対して発呼して、あるいは前記他機からの呼び出しに応答して通話を成立させるための音声を入出力する子機マイクおよび子機スピーカを含み、
前記親機は、前記子機に対して発呼して、あるいは前記子機からの呼び出しに応答して通話を成立させるための音声を入出力する親機マイクおよび親機スピーカを含み、
前記子機は、設定可能に設けられた複数の通話モードを有し、
第１の通話モードにおいて、前記他機からの呼び出しに応答する際に応答ボタンの受付により通話を成立させ、
第２の通話モードにおいて、前記親機からの呼び出しに応答する際に応答ボタンの受付無しに通話を成立させる、通話システム。
【請求項２】
前記親機および前記複数の子機のそれぞれには識別番号が割り当てられ、
前記親機および前記複数の子機は、割り当てられた識別番号に対応する前記他機を発呼するための呼出ボタンをさらに含む、請求項１記載の通話システム。
【請求項３】
前記応答ボタンおよび前記呼出ボタンは、共通に設けられる、請求項１記載の通話システム。
【請求項４】
第３の通話モードにおいて、前記子機マイクへの入力音量が所定音量を超えた場合に前記他機に対して発呼する、請求項１〜３のいずれかに記載の通話システム。
【請求項５】
前記親機は、指示に従って前記複数の子機に対して一斉に発呼する、請求項１〜４のいずれか１項に記載の通話システム。
【発明の詳細な説明】
【技術分野】
【０００１】
本発明は、親機および子機間での無線通信による通話システムに関する。
【背景技術】
【０００２】
従来から、来訪者からの呼び出しに居住者が応答して通話を成立させることができる機器を備えたインターホン装置が知られている（特許文献１）。
【０００３】
当該インターホン装置では、子機からの呼出しに対して親機にて応答操作が行われると、親機と子機との間で通話が成立する。
【先行技術文献】
【特許文献】
【０００４】
【特許文献１】特開２００８−１８２３５８号公報
【発明の概要】
【発明が解決しようとする課題】
【０００５】
一般的に、インターホン装置では、子機あるいは親機からの呼出しに対して親機あるいは子機が応答操作することにより通話が成立する。
【０００６】
しかしながら、状況によっては機器間において簡易な方式で通話を成立させることが望ましい場合もある。
【０００７】
本発明は、上記のような課題を解決するためになされたものであって、機器間において簡易な方式で通話が可能な通話システムを提供する。
【課題を解決するための手段】
【０００８】
本発明のある局面に従う通話システムは、親機と、親機と通信可能に設けられた複数の子機とを備える通話システムであって、子機は、親機および複数の子機のうちの他機に対して発呼して、あるいは他機からの呼び出しに応答して通話を成立させるための音声を入出力する子機マイクおよび子機スピーカを含む。親機は、子機に対して発呼して、あるいは子機からの呼び出しに応答して通話を成立させるための音声を入出力する親機マイクおよび親機スピーカを含む。子機は、設定可能に設けられた複数の通話モードを有する。第１の通話モードにおいて、他機からの呼び出しに応答する際に応答ボタンの受付により通話を成立させる。第２の通話モードにおいて、親機からの呼び出しに応答する際に応答ボタンの受付無しに通話を成立させる。
【０００９】
好ましくは、親機および複数の子機のそれぞれには識別番号が割り当てられる。親機および複数の子機は、割り当てられた識別番号に対応する他機を発呼するための呼出ボタンをさらに含む。
【００１０】
好ましくは、応答ボタンおよび呼出ボタンは、共通に設けられる。
好ましくは、第３の通話モードにおいて、子機マイクへの入力音量が所定音量を超えた場合に他機に対して発呼する。
【００１１】
好ましくは、親機は、指示に従って複数の子機に対して一斉に発呼する。
【発明の効果】
【００１２】
本発明の通話システムによれば、機器間において簡易な方式で通話が可能となる。
【図面の簡単な説明】
【００１３】
【図１】本発明の実施形態に基づく通話システムの概要図である。
【図２】実施形態に基づく親機１０および子機２のハードウェアの構成を説明する図である。
【図３】実施形態に基づく設定スイッチＳＷを説明する図である。
【図４】実施形態に基づく複数の通話モードについて説明する図である。
【図５】実施形態に基づく子機２における通話処理のフロー図である。
【図６】実施形態に基づく子機２の発呼処理のフロー図である。
【発明を実施するための形態】
【００１４】
以下、図面を参照しつつ、本発明の実施の形態について説明する。以下の説明では、同一または対応する要素には同一の符号を付して、それらについての詳細な説明は繰り返さない。
【００１５】
図１は、本発明の実施形態に基づく通話システムの概要図である。
図１を参照して、実施形態に基づく通話システム１は、親機１０と、親機１０と通信可能に設けられた複数の子機２とを含む。一例として親機１０および子機２は、無線通信による通信が可能に設けられている。
【００１６】
本例においては、複数の子機２の一例として子機２Ａ，２Ｂが設けられている場合が示されている。
【００１７】
通話システム１は、親機１０と子機２との間での通話が可能であるとともに、子機２間同士の通話も可能である。子機２間同士の通話は、親機１０を介した通信である。
【００１８】
親機１０の表面には、親機１０を操作する操作部が設けられている。一例として、親機１０は、通話するための応答／呼出ボタン１００と、音量を調節するための音量ボタン１０４と、子機２を指定するための指定ボタン１０２とを含む。音量ボタン１０４は、音量を上げるボタン１０４１と、音量を下げるボタン１０４２とを含む。指定ボタン１０２は、番号「１」〜「６」にそれぞれ割り当てられた子機を指定するためのボタン１０２１〜１０２６とを含む。
【００１９】
また、親機１０は、音声を入力するマイク（親機マイク）１８と、音声を出力するスピーカ（親機スピーカ）１９とを含む。なお、応答の際に操作を受け付ける応答ボタンと、発呼する際に操作を受け付ける呼出ボタンとは、本例においては共通に設けられる。また、応答／呼出ボタン１００を所定期間以上選択を継続した場合（長押しの場合）には、複数の子機２に対して一斉に発呼する。具体的には、親機１０は、複数の子機２のそれぞれに対して呼出指令を送信する。これにより複数の子機２を一斉に発呼し、通話を促すことが可能となる。
【００２０】
子機２の表面には、子機２を操作する操作部が設けられている。一例として、子機２は、通話するための応答／呼出ボタン２００と、音量を調節するための音量ボタン２０４と、他の子機２を指定するための指定ボタン２０２とを含む。音量ボタン２０４は、音量を上げるボタン２０４１と、音量を下げるボタン２０４２とを含む。指定ボタン２０２は、番号「１」〜「６」にそれぞれ割り当てられた子機を指定するためのボタン２０２１〜２０２６とを含む。
【００２１】
また、子機２は、音声を入力するマイク（子機マイク）８と、音声を出力するスピーカ（子機スピーカ）９とを含む。なお、応答の際に操作を受け付ける応答ボタンと、発呼する際に操作を受け付ける呼出ボタンとは、本例においては共通に設けられる。
【００２２】
図２は、実施形態に基づく親機１０および子機２のハードウェアの構成を説明する図である。
【００２３】
図２を参照して、親機１０は、ＣＰＵ（Central Processing Unit）１５と、メモリ１３と、操作部１４と、通信Ｉ／Ｆ１６と、通話制御部１７と、マイク１８と、スピーカ１９とを含む。
【００２４】
ＣＰＵ１５は、親機１０全体を制御する。メモリ１３には、親機１０を制御するための各種の制御プログラムが格納されている。また、メモリ１３は、ワーク領域として用いられる。さらに、メモリ１３には、複数の子機をそれぞれ識別する識別番号の情報が格納されている。
【００２５】
操作部１４は、通話するための応答／呼出ボタン１００と、音量を調節するための音量ボタン１０４と、子機２を指定するための指定ボタン１０２とを含む。ここでは、子機２を指定するための６つの番号が割り振られた指定ボタン１０２が設けられている。
【００２６】
本例においては、番号「１」に対応して子機２Ａが割り当てられているものとする。また、番号「２」に対応して子機２Ｂが割り当てられているものとする。また、別の番号に対応して別の子機を割り当てることも可能である。
【００２７】
通信Ｉ／Ｆ１６は、アンテナと接続され、子機２との間でデータ通信を実行する。
通話制御部１７は、ＣＰＵ１５からの指示に従って通話処理を実行する。
【００２８】
子機２は、ＣＰＵ（Central Processing Unit）５と、メモリ３と、操作部４と、通信Ｉ／Ｆ６と、通話制御部７と、マイク８と、スピーカ９と、設定スイッチＳＷを含む。
【００２９】
メモリ３には、子機２を制御するための各種の制御プログラムが格納されている。また、メモリ３は、ワーク領域として用いられる。さらに、メモリ３には、複数の子機をそれぞれ識別する識別番号の情報が格納されている。
【００３０】
操作部４は、通話するための応答／呼出ボタン２００と、音量を調節するための音量ボタン２０４と、子機を指定するための指定ボタン２０２とを含む。
【００３１】
ここでは、子機２を指定するための６つの番号が割り振られた指定ボタン２０２が設けられている。
【００３２】
通信Ｉ／Ｆ６は、アンテナと接続され、親機１０との間でデータ通信を実行する。
通話制御部７は、ＣＰＵ５からの指示に従って通話処理を実行する。
【００３３】
設定スイッチＳＷは、複数の通話モードの中から１つの通話モードに設定するスイッチである。
【００３４】
図３は、実施形態に基づく設定スイッチＳＷを説明する図である。
図３に示されるように、設定スイッチＳＷとしてスライダ５０をスライドさせて設定するスライドスイッチが示されている。３種類の通話モードＭ１〜Ｍ３にそれぞれ対応する位置にスライダ５０を合わせることにより通話モードを設定することが可能である。
【００３５】
図４は、実施形態に基づく複数の通話モードについて説明する図である。
図４を参照して、本例においては、複数の通話モードが設けられる。一例として３つの通話モードが設けられる。通話モードは、各子機２に対して設定することが可能である。具体的には、設定スイッチＳＷにより複数の通話モードＭ１〜Ｍ３の中から１つの通話モードを設定する。
【００３６】
通話モードＭ１は、通常の通話処理を実行する。通話モードＭ２は、応答受付処理が不要な通話処理を実行する。通話モードＭ３は、応答受付処理および呼出処理が不要な通話処理を実行する。
【００３７】
＜通話モードＭ１＞
通常の通話処理を実行する。
【００３８】
具体的には、子機２において、指定ボタン２０２を選択せずに、応答／呼出ボタン２００を選択した場合には、子機２から親機１０への呼出指令が送信される。親機１０は、子機２からの呼出指令を受信して、呼出処理を実行する。具体的には、親機１０は、呼出しが有る旨を報知する。ユーザから応答／呼出ボタン１００の選択を受け付けた場合には、通話が成立する。具体的には、子機２のマイク８で入力された音声信号が親機１０に送信される。そして、親機１０のスピーカ１９から出力される。また、親機１０のマイク１８で入力された音声信号が子機２に送信される。そして、子機２のスピーカ９から出力される。これにより、双方向通話が可能となる。通話を終了する場合には、親機１０の応答／呼出ボタン１００あるいは子機２の応答／呼出ボタン２００を再度選択することにより通話を終了することが可能となる。
【００３９】
子機２において、指定ボタン２０２を選択した後、応答／呼出ボタン２００を選択した場合には、指定した他の子機に対する番号と呼出指令とが親機１０に送信される。
【００４０】
親機１０は、指定した他の子機に対する番号を受信して、メモリ１３を参照して送信する子機２を特定する。親機１０は、特定された子機２に対して受信した呼出指令を中継して送信する。たとえば、子機２Ａのユーザが番号「２」の指定ボタン２０２を選択して、応答／呼出ボタン２００を選択した場合には、親機１０を介して子機２Ｂに対して呼出指令が送信される。そして、子機２Ｂにおいて呼出処理を実行する。あるいは、子機２Ｂのユーザが番号「１」の指定ボタン２０２を選択して、応答／呼出ボタン２００を選択した場合には、親機１０を介して子機２Ａに対して呼出指令が送信される。そして、子機２Ａにおいて呼出処理を実行する。他の指定ボタンによる呼出処理についても同様である。
【００４１】
例えば、呼出指令を受けた子機２Ｂは、呼出しが有る旨を報知する。ユーザから応答／呼出ボタン２００の選択を受け付けた場合には、通話が成立する。具体的には、子機２Ｂのマイク８で入力された音声信号が親機１０を介して子機２Ａに送信される。そして、子機２Ａのスピーカ９から出力される。また、子機２Ａのマイク８で入力された音声信号が親機１０を介して子機２Ｂに送信される。そして、子機２Ｂのスピーカ９から出力される。これにより、子機２Ａおよび２Ｂ間での双方向通話が可能となる。
【００４２】
親機１０において、指定ボタン１０２を選択した後、応答／呼出ボタン１００を選択した場合には、指定した子機に対して呼出指令が送信される。たとえば、ユーザが番号「１」の指定ボタン１０２を選択して、応答／呼出ボタン１００を選択した場合には、子機２Ａに対して呼出指令が送信される。そして、子機２Ａにおいて呼出処理を実行する。
【００４３】
例えば、呼出指令を受けた子機２Ａは、呼出しが有る旨を報知する。ユーザから応答／呼出ボタン２００の選択を受け付けた場合には、通話が成立する。
【００４４】
＜通話モードＭ２＞
応答受付処理が不要な通話処理を実行する。
【００４５】
例えば、子機２Ｂについて通話モードＭ２に設定されている場合について説明する。
具体的には、呼出指令を受けた子機２Ｂは、呼出しがある旨を報知する。通話モードＭ２の場合には、応答／呼出ボタン１００の選択の受付無しに通話が成立する。
【００４６】
具体的には、親機１０のマイク１８あるいは他の子機２のマイク８で入力された音声信号が子機２Ｂに送信される。そして、子機２Ｂのスピーカ９から出力される。また、子機２Ｂのマイク８で入力された音声信号が親機１０あるいは他の子機２に送信される。そして、親機１０のスピーカ１９あるいは他の子機２のスピーカ９から出力される。
【００４７】
すなわち、呼出指令を受け付けたことにより、通話を成立させる。
当該処理により、子機２Ｂのユーザによる操作を不要とする点で簡易に通話を成立させることが可能である。たとえば、子機２Ｂのユーザの操作が難しい状況の場合（一例として介護が必要な状況あるいは手が離せないような現場の状況）であっても簡易に通話を成立させて双方向通信が可能となる。
【００４８】
他の子機についても同様に設定が可能である。
＜通話モードＭ３＞
応答受付処理が不要な通話処理を実行する。また、発呼の操作が不要な通話処理を実行する。
【００４９】
例えば、子機２Ｂについて、通話モードＭ３に設定されている場合について説明する。
具体的には、呼出指令を受けた子機２Ｂは、呼出しがある旨を報知する。通話モードＭ３の場合には、応答／呼出ボタン１００の選択の受付無しに通話が成立する。
【００５０】
具体的には、親機１０のマイク１８あるいは他の子機２のマイク８で入力された音声信号が子機２Ｂに送信される。そして、子機２Ｂのスピーカ９から出力される。また、子機２Ｂのマイク８で入力された音声信号が親機１０あるいは他の子機２に送信される。そして、親機１０のスピーカ１９あるいは他の子機２のスピーカ９から出力される。
【００５１】
すなわち、呼出指令を受け付けたことにより、通話を成立させる。
また、通話モードＭ３の場合には、所定量以上の音量を検知した場合に、自動的に親機１０に発呼する処理を実行する。
【００５２】
具体的には、子機２Ｂのマイク８に入力される音量を検知して、所定量以上の音量の入力が有るかどうかを判断する。所定量以上の音量の入力が有ると判断した場合には、子機２Ｂから親機１０に対して呼出指令が送信される。親機１０は、子機２Ｂからの呼出指令を受信して、呼出処理を実行する。具体的には、親機１０は、呼出しが有る旨を報知する。ユーザから応答／呼出ボタン１００の選択を受け付けた場合には、通話が成立する。
【００５３】
当該処理により、応答および発呼の際に子機２Ｂのユーザによる操作を不要とし簡易に通話を成立させることが可能である。たとえば、子機２Ｂのユーザの操作が難しい状況の場合（一例として介護が必要な状況あるいは手が離せないような現場の状況）であっても簡易に通話を成立させて双方向通信が可能となる。
【００５４】
＜処理フロー＞
図５は、実施形態に基づく子機２における通話処理のフロー図である。
【００５５】
図５を参照して、子機２は、呼出が有るかどうかを判断する（ステップＳ２）。子機２は、親機１０からあるいは、親機１０を介して他の子機２からの呼出指令を受信したかどうかを判断する。
【００５６】
ステップＳ２において、子機２は、呼出しがあるまでその状態を維持し、呼出が有ると判断した場合（ステップＳ２においてＹＥＳ）には、通話モードＭ１に設定されているか否かを判断する（ステップＳ４）。子機２は、設定スイッチＳＷによりスライダ５０が通話モードＭ１に対応する位置に設定されている否かを判断する。
【００５７】
ステップＳ４において、子機２は、通話モードＭ１に設定されていると判断した場合（ステップＳ４においてＹＥＳ）には、呼出しが有る旨を報知する（ステップＳ６）。子機２は、スピーカ９から呼出音を出力する。
【００５８】
次に、子機２は、応答の受付が有るかどうかを判断する（ステップＳ８）。具体的には、子機２は、応答／呼出ボタン２００の選択を受け付けたかどうかを判断する。
【００５９】
ステップＳ８において、子機２は、応答の受付が有ると判断した場合（ステップＳ８においてＹＥＳ）には、通話を成立させる（ステップＳ１０）。子機２は、応答／呼出ボタン２００の選択を受け付けた場合には、通話を成立させて親機１０との間で音声信号の送受信を実行する。あるいは、親機１０を介して他の子機２との間で音声信号の送受信を実行する。
【００６０】
次に、通話処理が終了したかどうかを判断する（ステップＳ１２）。子機２は、応答／呼出ボタン２００の選択を再度受け付けたかどうかを判断する。あるいは、子機２は、通話をしている相手側の操作により通話が終了したかどうかを判断する。
【００６１】
ステップＳ１２において、子機２は、通話処理が終了したと判断した場合（ステップＳ１２においてＹＥＳ）には、処理を終了する（エンド）。
【００６２】
一方、ステップＳ８において、子機２は、応答の受付が無いと判断した場合（ステップＳ８においてＮＯ）には、処理を終了する（エンド）。たとえば、子機２は、呼出音を報知後、所定期間内に応答／呼出ボタン２００の選択を受け付けない場合には、応答の受付が無いと判断して、処理を終了する。
【００６３】
また、ステップＳ４において、子機２は、通話モードＭ１に設定されていないと判断した場合（ステップＳ４においてＮＯ）には、ステップＳ１４に進む。通話モードＭ１に設定されていないと判断した場合とは、通話モードＭ２あるいは通話モードＭ３に設定されている場合である。
【００６４】
ステップＳ１４においては、子機２は、呼出しが有る旨を報知する（ステップＳ１４）。子機２は、スピーカ９から呼出音を出力する。
【００６５】
そして、子機２は、通話を成立させる（ステップＳ１６）。子機２は、呼出指令を受信した場合には、通話を成立させて親機１０との間で音声信号の送受信を実行する。あるいは、親機１０を介して他の子機２との間で音声信号の送受信を実行する。
【００６６】
そして、ステップＳ１２に進む。以降の処理は同様である。
当該処理により、他の子機からの呼出指令に対する応答の際に通話モードＭ２あるいは通話モードＭ３の場合には子機２のユーザによる操作を不要とする点で簡易に通話を成立させることが可能である。
【００６７】
図６は、実施形態に基づく子機２の発呼処理のフロー図である。
図６を参照して、子機２は、通話モードＭ３に設定されているかどうかを判断する（ステップＳ２０）。子機２は、設定スイッチＳＷによりスライダ５０が通話モードＭ３に対応する位置に設定されている否かを判断する。
【００６８】
ステップＳ２０において、子機２は、通話モードＭ３に設定されていると判断した場合（ステップＳ２０においてＹＥＳ）には、入力音量が所定音量以上であるか否かを判断する（ステップＳ２２）。具体的には、子機２の通話制御部７は、マイク８に入力される入力音量を検知し、入力音量が所定音量以上であるか否かを判断する。
【００６９】
ステップＳ２２において、子機２は、入力音量が所定音量以上であると判断した場合（ステップＳ２２においてＹＥＳ）には、発呼を実行する（ステップＳ２４）。通話制御部７は、マイク８に入力される入力音量が所定音量以上であると判断した場合には、ＣＰＵ５に通知する。ＣＰＵ５は、通話制御部７からの通知に従って通信Ｉ／Ｆ６を介して親機１０に対して呼出指令を送信する。
【００７０】
そして、処理を終了する（エンド）。
親機１０において、当該呼出指令に対して応答／呼出ボタン１００の選択により通話が成立する。
【００７１】
一方、ステップＳ２０において、子機２は、通話モードＭ３の設定がされていないと判断した場合（ステップＳ２０においてＮＯ）には、呼出指示が有るかどうかを判断する（ステップＳ２６）。具体的には、子機２は、指定ボタン２０２の選択とともに応答／呼出ボタン２００の選択を受け付けたかどうかを判断する。子機２は、指定ボタン２０２の選択無しに応答／呼出ボタン２００の選択を受け付けたかどうかを判断する。
【００７２】
子機２は、呼出指示があるまでその状態を維持し、呼出指示が有ると判断した場合（ステップＳ２６においてＹＥＳ）には、発呼を実行する（ステップＳ２４）。具体的には、子機２は、指定ボタン２０２を選択せずに、応答／呼出ボタン２００の選択を受け付けた場合には、子機２から親機１０に呼出指令を送信する。子機２は、指定ボタン２０２を受け付けた後、応答／呼出ボタン２００の選択を受け付けた場合には、指定した他の子機に対する呼出指令を親機１０に送信する。
【００７３】
そして、処理を終了する（エンド）。
当該処理により、通話モードＭ３の場合に親機１０に対する発呼の際に子機２のユーザによる操作を不要とする点で簡易に通話を成立させることが可能である。
【００７４】
なお、本例においては、通話モードＭ３の場合に親機１０に対してのみ呼出指令を送信する場合について説明したが、特にこれに限られず他の特定の子機２を指定して呼出指令を送信するようにしても良いし、あるいは、親機１０および他の全ての子機２に対して呼出指令を送信するようにしても良い。
【００７５】
なお、呼出音は一種類に限られず、複数種類設けることが可能であり、親機１０あるいは子機２にそれぞれ対応して異なる種類の呼出音を設定することも可能である。
【００７６】
親機１０と子機２との間では無線通信する場合について説明しているが、親機１０と子機２と間での距離が長くなり互いの距離が無線通信の範囲を超える場合には無線通信の範囲が超えている旨を親機１０あるいは子機２もしくはその両方に報知するようにしても良い。
【００７７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７８】
１  通話システム、２，２Ａ，２Ｂ  子機、３，１３  メモリ、４，１４  操作部、５，１５  ＣＰＵ、６，１６  通信Ｉ／Ｆ、７，１７  通話制御部、８，１８  マイク、９，１９  スピーカ、１０  親機、５０  スライダ、１００，２００  応答／呼出ボタン、１０２，２０２  指定ボタン、１０４，２０４  音量ボタン、ＳＷ  設定スイッチ。
【図１】
2017069898.tif 000003
【図２】
2017069898.tif 000004
【図３】
2017069898.tif 000005
【図４】
2017069898.tif 000006
【図５】
2017069898.tif 000007
【図６】
2017069898.tif 000008